(57)【要約】【課題】着心地が損なわれるのを防止しつつ、盗難防止に役立てることができ、簡単かつコンパクトにパッキングすることができる、パンツを提供する。【解決手段】パンツ１０は、着用者の下半身を覆うパンツ本体１２と、パンツ本体１２の上端縁１２ａから上方に延びて設けられ、着用者の胴体周りに配置される帯状のベルト部１４と、パンツ本体１２の裏側に設けられた収容部２０とを備え、収容部２０は、物品を収容する袋状の収容部本体２０ａと、収容部本体２０ａの上端部にベルト部１４の下端縁１４ａに沿って設けられた開口部２０ｂとを有する。【選択図】図３
0003162265.tif 000002
【実用新案登録請求の範囲】
【請求項１】
着用者の下半身を覆うパンツ本体と、
前記パンツ本体の上端縁から上方に延びて設けられ、着用者の胴体周りに配置される帯状のベルト部と、
前記パンツ本体の裏側に設けられた収容部とを備え、
前記収容部は、物品を収容する袋状の収容部本体と、前記収容部本体の上端部に前記ベルト部の下端縁に沿って設けられた開口部とを有する、パンツ。
【請求項２】
前記収容部本体は、前記開口部から前記収容部を裏返し可能なように柔軟性を有する素材で構成され、
裏返された前記収容部の内部空間は、前記パンツ本体を収容可能な大きさを有する、請求項１に記載のパンツ。
【請求項３】
前記ベルト部の下端縁から下方に延びて設けられ、前記開口部を覆うカバー部をさらに備える、請求項１または２に記載のパンツ。
【請求項４】
前記開口部の周縁部に設けられ、前記開口部を開閉するファスナーをさらに備える、請求項３に記載のパンツ。
【請求項５】
前記パンツ本体と前記収容部との間に設けられた袋状のポケットをさらに備え、
前記パンツ本体には、前記パンツ本体の表側空間と前記ポケットの内部空間とを連通するポケット口が設けられる、請求項１ないし４のいずれかに記載のパンツ。
【考案の詳細な説明】
【技術分野】
【０００１】
本考案は、旅行に適するパンツに関し、特に、パンツ本体の裏側に設けられた袋状の収容部を備えるパンツに関する。
【背景技術】
【０００２】
旅行に適するパンツとして、従来より、「貴重品等を隠して収容する収容部」を備えるパンツや、「パンツ本体をコンパクトに収容する収容部」を備えるパンツ等が存在し、前者の一例が、特許文献１に記載されており、後者の一例が、特許文献２に記載されている。
【０００３】
特許文献１に記載されたパンツは、着用者の胴体周りに位置するベルト部の裏側に、小物や小銭を収容するポケットパーツ（すなわち収容部）を縫合したものであり、ポケットパーツには、ポケット口を開くための持出案内部が設けられている。
【０００４】
このパンツによれば、ポケット口がパンツ本体の裏側に設けられているので、着用者以外の者（窃盗者等）がポケットパーツに収容された物品を取り出すことは容易ではなく、当該物品の盗難を有効に防止することができる。しかし、着用者の胴体に密着するベルト部の裏側にポケットパーツを縫合していたので、このポケットパーツによって着心地が著しく損なわれるという課題があった。また、ポケットパーツは、小物や小銭を入れるために設けられた小型のパーツであり、パンツ本体をポケットパーツに収容することは考えられていなかった。
【０００５】
一方、特許文献２に記載されたパンツは、後ろ身頃に設けられたポケット口に袋状のポケット体の入口を縫合したものであり、パンツを着用した際には、ポケット口がパンツ本体の表側に開かれるようになっており、パンツを持ち運ぶ際には、パンツ本体の表側にポケット体を引き出すことで、当該ポケット体にパンツ本体を収容することができるようになっている。
【０００６】
このパンツによれば、パンツ本体をポケット体にコンパクトに収容することができるので、旅行の荷物が嵩張るのを防止することができる。しかし、着用時には、ポケット口がパンツ本体の表側に開かれるので、ポケット体に収容された物品の盗難を有効に防止することができないという課題があった。また、パンツ本体をポケット体に収容する際には、ポケット体をパンツ本体から引き出す必要があったので、その収容作業が面倒であるという課題もあった。
【先行技術文献】
【特許文献】
【０００７】
【特許文献１】特開平８−１１３８１０号公報
【特許文献２】実開昭５７−４８２１９号公報
【考案の概要】
【考案が解決しようとする課題】
【０００８】
本考案は、上記課題を解決するためになされたものであり、着心地が損なわれるのを防止しつつ、盗難防止に役立てることができ、さらに、簡単かつコンパクトに収容することができる、パンツを提供することを目的とする。
【課題を解決するための手段】
【０００９】
上記課題を解決するために、本考案に係るパンツは、着用者の下半身を覆うパンツ本体と、前記パンツ本体の上端縁から上方に延びて設けられ、着用者の胴体周りに配置される帯状のベルト部と、前記パンツ本体の裏側に設けられた収容部とを備え、前記収容部は、物品を収容する袋状の収容部本体と、前記収容部本体の上端部に前記ベルト部の下端縁に沿って設けられた開口部とを有する。
【００１０】
この構成では、パンツ本体の裏側に袋状の収容部が設けられ、パンツ本体の上端縁から上方に延びてベルト部が設けられているので、着用者の胴体とベルト部との間に収容部が介在するのを防止することができ、収容部によって着心地が損なわれるのを防止することができる。
【００１１】
また、収容部の開口部は、パンツ本体の裏側においてベルト部の下端縁に沿って設けられており、当該開口部の上方においてベルト部が着用者の胴体に密着するので、着用者以外の者（窃盗者等）が収容部に収容された物品を取り出すことは容易ではなく、当該物品の盗難を有効に防止することができる。
【００１２】
さらに、パンツ本体を収容部に重ねて折り畳み、その後、収容部をパンツ本体と共に裏返すことによって、裏返された収容部の内部空間にパンツ本体を簡単に収容することができる。つまり、収容部を裏返す作業と、裏返された収容部の内部空間にパンツ本体を収容する作業とを、１つの工程で簡単に行うことができる。
【００１３】
前記収容部本体は、前記開口部から前記収容部を裏返し可能なように柔軟性を有する素材で構成され、裏返された前記収容部の内部空間は、前記パンツ本体を収容可能な大きさを有していてもよい。
【００１４】
この構成では、収容部本体が柔軟性を有する素材で構成されていることから、収容部の裏返し作業を容易に行うことができる。また、裏返された収容部の内部空間がパンツ本体を収容可能な大きさであることから、パンツ本体を収容部に完全に収容することができる。
【００１５】
前記ベルト部の下端縁から下方に延びて設けられ、前記開口部を覆うカバー部をさらに備えていてもよい。
【００１６】
この構成では、カバー部によって開口部を覆うことができるので、盗難防止効果をより高めることができるとともに、開口部が着用者の身体に当たることによる違和感を解消して、着心地が損なわれるのを防止することができる。また、ベルト部とカバー部とを連続的かつ一体的に形成することができるので、製造コストを抑えることができる。
【００１７】
前記開口部の周縁部に設けられ、前記開口部を開閉するファスナーをさらに備えていてもよい。
【００１８】
この構成では、ファスナーによって開口部を閉じることができるので、盗難防止効果をより高めることができる。また、ファスナーをカバー部で覆うことができるので、ファスナーによって着心地が損なわれるのを防止することができる。
【００１９】
前記パンツ本体と前記収容部との間に設けられた袋状のポケットをさらに備え、前記パンツ本体には、前記パンツ本体の表側空間と前記ポケットの内部空間とを連通するポケット口が設けられていてもよい。
【００２０】
この構成では、収容部とは別にポケットが設けられるので、パンツを着用した際には、パンツ本体の表側に開かれたポケット口からポケットの内部に物品を収容することができる。
【考案の効果】
【００２１】
本考案に係るパンツによれば、着心地が損なわれるのを防止しつつ、盗難防止に役立てることができ、さらに、簡単かつコンパクトに収容することができる。したがって、このパンツを旅行に用いた場合には、長時間着用しても疲れ難く、物品の盗難の心配を解消することができ、荷物が嵩張るのを防止することができる。
【図面の簡単な説明】
【００２２】
【図１】図１は、第１実施形態に係るパンツの構成を示す正面図である。
【図２】図２は、第１実施形態に係るパンツの構成を示す背面図である。
【図３】図３は、第１実施形態に係るパンツの主要部の構成を示す断面図である。
【図４】図４は、第１実施形態に係るパンツの主要部の構成を示す分解図である。
【図５】図５（Ａ）〜（Ｅ）は、第１実施形態に係るパンツの折畳み工程を示す図である。
【図６】図６（Ａ）は、収容部にパンツ本体を収容する収容工程を示す図であり、図６（Ｂ）は、図６（Ａ）におけるVIＢ−VIＢ線断面図である。
【図７】図７（Ａ）は、図６（Ａ）の収容工程に続く収容工程を示す図であり、図７（Ｂ）は、図７（Ａ）におけるVIIＢ−VIIＢ線断面図である。
【図８】図８（Ａ）は、第１実施形態に係るパンツを折り畳んで収容した状態を示す正面図であり、図８（Ｂ）は、図８（Ａ）におけるVIIIＢ−VIIIＢ線断面図である。
【考案を実施するための形態】
【００２３】
以下に、本考案の好ましい実施形態を、図面を参照しながら説明する。
【００２４】
（第１実施形態）
［パンツの構成］
図１は、本考案の第１実施形態に係るパンツ１０の構成を示す正面図であり、図２は、パンツ１０の構成を示す背面図である。また、図３は、パンツ１０の主要部の構成を示す断面図であり、図４は、パンツ１０の主要部の構成を示す分解図である。なお、以下の説明で用いる「前後」、「左右」および「上下」の方向は、パンツを着用した着用者から見た方向と一致する。
【００２５】
図１〜図３に示すように、パンツ１０は、着用者の下半身を覆うパンツ本体１２と、パンツ本体１２の上端縁１２ａから上方に延びて設けられ、着用者の胴体周りに配置される帯状のベルト部１４と、ベルト部１４の下端縁から下方に延びて設けられたカバー部１６（図３）と、ベルト部１４に挿通された締付け紐１８と、パンツ本体１２の裏側に設けられた袋状の収容部２０（図３）と、パンツ本体１２の裏側または表側（本実施形態では裏側）に設けられた袋状のポケット２２、２４、２６および２８とを有している。
【００２６】
図１および図２に示すように、パンツ本体１２は、右側前身頃３２と、左側前身頃３４と、右側後ろ身頃３６と、左側後ろ身頃３８とを互いに縫合することによって構成されており、右側前身頃３２、左側前身頃３４、右側後ろ身頃３６および左側後ろ身頃３８のそれぞれには、上記ポケット２２〜２８が一体的に設けられている。そして、これらのポケット２２〜２８の開口部（以下、「ポケット口」という。）２２ａ〜２８ａが、パンツ本体１２の表側に開かれており、パンツ本体１２の表側からポケット２２〜２８のそれぞれに、物品や手を入れることができるようになっている。
【００２７】
また、右側後ろ身頃３６および左側後ろ身頃３８（図２）の上端縁の高さが一定であるのに対し、右側前身頃３２および左側前身頃３４（図１）の上端縁の高さは、左右方向中央部に向けて低くなっており、これにより、快適な着心地を得られるようになっている。したがって、図５（Ａ）に示すように、パンツ１０を左右方向中央部で２つ折りにしたときには、ベルト部１４のうち右側後ろ身頃３６および左側後ろ身頃３８（図２）の上端縁に縫合された部分がパンツ１０の輪郭を構成するようになる。
【００２８】
図１〜図３に示すように、ベルト部１４は、着用者の胴体（腰周り）に沿って配置される帯状部分であり、カバー部１６（図３）は、収容部２０の開口部２０ｂ（後述）を覆う帯状部分であり、ベルト部１４とカバー部１６とが、パンツ本体１２とは異なる布Ｇを用いて連続的かつ一体的に形成されている。
【００２９】
つまり、図４に示すように、ベルト部１４は、帯状の布Ｇの上部を上下方向に２つ折りにした後、その部分を長手方向に延びる３本の縫合線Ｌ１〜Ｌ３で縫合することによって構成されており、最下に位置する縫合線Ｌ１がベルト部１４の下端縁１４ａとなっている。一方、カバー部１６は、帯状の布Ｇの下部を上下方向に２つ折りにした後、その部分を長手方向に延びる縫合線Ｌ１で縫合することによって構成されており、縫合線Ｌ１がカバー部１６の上端縁１６ａとなっている。また、縫合線Ｌ１においては、ベルト部１４の下端縁１４ａおよびカバー部１６の上端縁１６ａだけでなく、パンツ本体１２の上端縁１２ａ、収容部２０の上端縁２０ｃおよびポケット２６の上端縁２６ｂも一緒に縫合されており、これにより、パンツ１０の製造工程が大幅に簡略化されている。
【００３０】
そして、中間の縫合線Ｌ２と最上の縫合線Ｌ３との間に位置する筒状の部分（以下、「紐収容部」という。）４０に締付け紐１８が挿通されており、締付け紐１８の両端部がベルト部１４の前側の左右方向中央部（着用者のヘソの位置）において紐収容部４０から外部に引き出されている。
【００３１】
図３に示すように、収容部２０は、貴重品等の物品を収容したり、裏返された状態（図７（Ａ），（Ｂ））においてパンツ本体１２を収容したりする部分であり、第１布４４と第２布４６とによって構成された袋状の収容部本体２０ａと、収容部本体２０ａの上端部にベルト部１４の下端縁１４ａに沿って設けられた開口部２０ｂとを有している。
【００３２】
収容部本体２０ａを構成する第１布４４および第２布４６は、開口部２０ｂから収容部２０の全体を容易に裏返すことができるように、柔軟性および伸縮性を有する素材で構成されており、裏返された収容部２０（伸長状態）の内部空間は、パンツ本体１２を収容可能な大きさを有している。なお、「柔軟性および伸縮性を有する素材」としては、特に限定されるものではないが、たとえば、「伸縮性を有するように編まれたニット生地」や、「伸縮性を有する糸（弾性糸を芯糸に用いたコアスパン糸等）で織られ、或いは、編まれた布」等を用いることができる。
【００３３】
そして、第１布４４および第２布４６の周縁部が、パンツ本体１２の右側後ろ身頃３６に対してその裏側から縫合されている。開口部２０ｂは、収容部２０の全体を容易に裏返すことができるように、柔軟性を有する素材（本実施形態では、収容部本体２０ａと同じ素材）によって、ベルト部１４の下端縁１４ａに平行な直線状に構成されており、開口部２０ｂの周縁部には、開口部２０ｂを開閉するファスナー５０が設けられている。
【００３４】
図４に示すように、ファスナー５０は、第１ファスナーエレメント５０ａと、第２ファスナーエレメント５０ｂと、スライドしながらこれらを噛み合わせるスライダー５０ｃと、スライダー５０ｃに取り付けられた把持部５０ｄとを有する「線ファスナー」であり、パンツ１０を着用したときは勿論、収容部２０を裏返したときにも、開口部２０ｂを開閉できるように構成されている。
【００３５】
図３に示すように、収容部２０の開口部２０ｂから縫合線Ｌ１（すなわちベルト部１４の下端縁１４ａ）までの距離ｄ１は、縫合線Ｌ１からカバー部１６の下端縁１６ｂまでの距離（すなわちカバー部１６の長さ）ｄ２よりも短く設計されている。したがって、パンツ１０を着用した際には、カバー部１６によって開口部２０ｂおよびファスナー５０を覆うことが可能であり、盗難防止効果を高めることができる。また、収容部本体２０ａは、ベルト部１４の下方に位置してパンツ本体１２に縫合されており、開口部２０ｂおよびファスナー５０は、ベルト部１４の下方に位置してカバー部１６で覆われているので、収容部２０の一部やファスナー５０が着用者の胴体に強く押し当てられるのを防止することが可能であり、着用者に与える違和感を解消することができる。
【００３６】
図３に示すように、ポケット２６は、パンツ本体１２と収容部２０との間に設けられた袋状の部分であり、第２布４６と第３布５２とによって構成されている。第２布４６は、収容部２０の一方の側面を構成する部分でもあり、この第２布４６が収容部２０とポケット２６とを隔てる仕切り壁となっている。つまり、本実施形態では、収容部２０とポケット２６とが、同じ形状および同じ大きさで二重に形成されており、第１布４４、第２布４６および第３布５２の上端部が、縫合線Ｌ１（図３、図４）においてベルト部１４の下端縁１４ａに縫合されており、残りの周縁部が、縫合線Ｌ４〜Ｌ６（図５（Ａ））においてパンツ本体１２に対して裏側から縫合されている。また、ポケット２６のポケット口２６ａは、パンツ本体１２の表側空間とポケット２６の内部空間とを連通し得るように、パンツ本体１２（右側後ろ身頃３６）および第３布５２の両方に跨って形成されており、ポケット口２６ａの周縁部には、ファスナー５４が設けられている。したがって、ポケット２６と収容部２０とは、互いに補強し合う関係にあり、これらの「破れ」や「穴開き」が生じ難くなっている。さらに、第２布４６および第３布５２のポケット口２６ａの上側に位置する部分が、縫合線Ｌ７においてパンツ本体１２に対して縫合されている。
【００３７】
［パンツのパッキング方法］
旅行の荷物が嵩張るのを防止するためには、荷物となるパンツ１０をコンパクトに折り畳むことが有効であるが、単に折り畳んだだけでは、運搬時に崩れて「しわ」が生じてしまう。そこで、本実施形態では、以下に示す「折畳み工程」を経て、パンツ本体１２を折り畳むとともに、「収容工程」および「閉口工程」を経て、折り畳んだパンツ本体１２を収容部２０に収容する。
【００３８】
＜折畳み工程＞
図５（Ａ）〜（Ｅ）は、パンツ１０の「折畳み工程」を示す図である。なお、図５（Ａ）〜（Ｅ）では、収容部２０がその裏面側から「かくれ線（破線）」で示されているので、着用者から見た収容部２０の右側部分が図中の左側に位置しており、着用者から見た収容部２０の左側部分が図中の右側に位置している。
【００３９】
この「折畳み工程」では、収容部２０の「上端縁」に位置する縫合線Ｌ１と、「下端縁」に位置する縫合線Ｌ４と、「股下側端縁」に位置する縫合線Ｌ５と、「脇側端縁」に位置する縫合線Ｌ６とを基準にして、パンツ本体１２を収容部２０と重なる位置に折り畳む。
【００４０】
すなわち、図５（Ａ）に示すように、まず、パンツ１０の全体を左右方向の中央部で２つ折りにし、左側後ろ身頃３８を表側（すなわち図５（Ａ）で見える側）にして、パンツ本体１０を平坦面（床面等）上に置く。そして、裾１２ｂが縫合線Ｌ４に位置するようにして、パンツ本体１２の股下部１２ｃを上下方向の中央部で２つ折りにする。なお、図５（Ａ）で示す縫合線Ｌ４（かくれ線）は、ポケット２８の下端縁に位置する縫合線と重なっており、実際には、当該縫合線を目印にして裾１２ｂを位置決めすることになる。
【００４１】
続いて、図５（Ｂ）に示すように、股下部１２ｃの股下側の側端部１２ｄを縫合線Ｌ５に沿って折り畳むとともに、図５（Ｃ）に示すように、股下部１２ｃの脇側の側端部１２ｅを縫合線Ｌ６に沿って折り畳む。そして、図５（Ｄ）に示すように、股下部１２ｃを上下方向の中央部で２つ折りにし、その後、図５（Ｅ）に示すように、股下部１２ｃの先端縁が縫合線Ｌ１に位置するようにして、当該股下部１２ｃを収容部２０と重なる部分に折り重ねる。
【００４２】
なお、本実施形態では、左側後ろ身頃３８を表側にしてパンツ本体１２を折り畳んでいるが、右側後ろ身頃３６を表側にしてパンツ本体１２を折り畳むようにしてもよい。
【００４３】
＜収容工程＞
図６（Ａ），（Ｂ）および図７（Ａ），（Ｂ）は、収容部２０にパンツ本体１２を収容する「収容工程」を示す図である。
【００４４】
「収容工程」では、まず、図６（Ａ），（Ｂ）に示すように、把持部５０ｄ（図４）を把持してファスナー５０を開き、或いは、ファスナー５０が開かれていることを確認する。そして、図７（Ａ），（Ｂ）に示すように、折り畳んだパンツ本体１２を掴んで開口部２０ｂを開き、この開口部２０ｂから収容部２０を裏返すとともに、裏返された収容部２０の内部空間にパンツ本体１２を収容する。
【００４５】
図６（Ｂ）に示すように、先の「折畳み工程」では、収容部２０の第１布４４に対してパンツ本体１２が折り重ねられるので、「収容工程」では、第１布４４とパンツ本体１２とを一体的に取り扱うことが可能であり、第１布４４とパンツ本体１２とを一緒に掴んで収容部２０を裏返すだけで、裏返された収容部２０の内部空間にパンツ本体１２を収容することができる。つまり、収容部２０を裏返す作業と、裏返された収容部２０の内部空間にパンツ本体１２を収容する作業とを、１つの工程で簡単かつ迅速に行うことができる。
【００４６】
また、第１布４４とパンツ本体１２とを一緒に掴んで収容部２０を裏返すことができるので、パンツ本体１２の「折り畳んだ状態」が崩れるのを防止して、パンツ本体１２に「しわ」が生じるのを防止することができる。
【００４７】
＜閉口工程＞
図８（Ａ）は、第１実施形態に係るパンツを折り畳んで収容した状態を示す正面図であり、図８（Ｂ）は、図８（Ａ）におけるVIIIＢ−VIIIＢ線断面図である。
【００４８】
図７（Ａ）に示すように、先の「収容工程」において、収容部２０を裏返した段階では、ベルト部１４が開口部２０ｂから外部にはみ出しており、このままでは、開口部２０ｂを閉じることができない。そこで、「閉口工程」では、開口部２０ｂからはみ出したベルト部１４を、収容部２０の内部空間に押し込んだ後、ファスナー５０を操作して開口部２０ｂを閉口する。
【００４９】
本実施形態では、ベルト部１４の下端縁１４ａに沿って開口部２０ｂが設けられており、先の「折畳み工程」では、ベルト部１４に重ならないようにしてパンツ本体１２が折り畳まれるので（図５（Ｅ））、開口部２０ｂからはみ出す部分はベルト部１４だけである。したがって、このはみ出したベルト部１４を収容部２０の内部空間に簡単に押し込むことができ、「閉口工程」を簡単かつ迅速に行うことができる。
【００５０】
また、パンツ本体１２を収容部２０の内部空間に収容する「第１工程」と、開口部２０ｂからはみ出したベルト部１４を当該内部空間に押し込む「第２工程」とによって、収容部２０の内部空間を段階的に、丁寧に埋めていくことができるので、パンツ１０を、形を整えながら極めてコンパクトにパッキングすることができる。
【００５１】
（他の実施形態）
なお、第１実施形態では、収容部２０の収容部本体２０ａが「柔軟性」および「伸縮性」の両方を有しているが、他の実施形態では、収容部本体２０ａが「柔軟性」だけを有していてもよい。ただし、収容部２０を裏返す作業を容易にしたり、パンツ１０をコンパクトにパッキングしたりするためには、「伸縮性」を有することが望ましい。
【００５２】
また、開口部２０ｂの周縁部に設けられるファスナーの種類は、適宜変更可能であり、他の実施形態では、第１実施形態の「線ファスナー」に代えて「面ファスナー」が用いられてもよい。
【００５３】
そして、第１実施形態では、パンツ本体１２と収容部２０との間にポケット２６（図３）が設けられているが、他の実施形態では、ポケット２６は省略されてもよい。
【産業上の利用可能性】
【００５４】
本考案に係るパンツは、物品の盗難を防止することができる「盗難防止パンツ」として利用可能であり、また、コンパクトにパッキングすることができる「パッカブルパンツ」として利用可能である。
【符号の説明】
【００５５】
ｄ１，ｄ２…  距離
Ｌ１〜Ｌ７…  縫合線
１０…  パンツ
１２…  パンツ本体
１４…  ベルト部
１６…  カバー部
１８…  締付け紐
２０…  収容部
２０ａ…  収容部本体
２０ｂ…  開口部
２２〜２８…  ポケット
３２…  右側前身頃
３４…  左側前身頃
３６…  右側後ろ身頃
３８…  左側後ろ身頃
４０…  紐収容部
４４…  第１布
４６…  第２布
５０…  ファスナー
５０ａ…  第１ファスナーエレメント
５０ｂ…  第２ファスナーエレメント
５０ｃ…  スライダー
５０ｄ…  把持部
５２…  第３布
５４…  ファスナー
【図１】
0003162265.tif 000003
【図２】
0003162265.tif 000004
【図３】
0003162265.tif 000005
【図４】
0003162265.tif 000006
【図５】
0003162265.tif 000007
【図６】
0003162265.tif 000008
【図７】
0003162265.tif 000009
【図８】
0003162265.tif 000010